(57)【要約】【課題】発熱体埋設によって熱伝達効率が良い直接加熱を行うことで燃料費を削減し、また発熱体の埋設自体の労力を低減し、栽培植物の栽培位置に応じた発熱体の埋設をおこなうことのできる発熱体埋設機を提供する。【解決手段】耕耘刃を有した自走式の耕耘機の後方にて耕耘した土よりも下方に突出した溝形成位置に取り付けられ、耕耘機と共に進行することで耕耘直後の土に溝を形成する溝形成器１と、溝形成器１の後方の発熱体供給位置に、土壌を加温するための発熱体を上方から連続的あるいは断続的に供給する発熱体供給装置２とを具備してなり、前記発熱体供給装置２は、長尺の発熱体を上部で纏めて保持する発熱体保持具２１と、溝形成位置よりも低い位置で土の上を転動する転圧ローラー２２とからなり、転圧ローラー２２が、発熱体保持具２１から引き出された発熱体Ｈを、転圧しながら溝形成位置に順次繰り出す。【選択図】  図３
2010119374.tif 000002
【特許請求の範囲】
【請求項１】
耕耘刃Ｂを有した耕耘機Ｔの後方にて耕耘した土よりも下方に突出した溝形成位置に取り付けられ、耕運機Ｔと共に進行することで耕耘直後の土に溝を形成する溝形成器１と、溝形成器１の後方の発熱体供給位置に、土壌を加温するための発熱体Ｈを上方から連続的あるいは断続的に供給する発熱体供給装置２とを具備してなり、
前記発熱体供給装置２は、長尺の発熱体Ｈを上部で纏めて保持する発熱体保持具２１と、溝形成位置よりも低い位置で土の上を転動する転圧ローラー２２とからなり、転圧ローラー２２が、発熱体保持具２１から引き出された発熱体Ｈを、転圧しながら溝形成位置に順次繰り出すことを特徴とする発熱体敷設機。
【請求項２】
溝形成器１の後方であって転圧ローラー２２の前方に、透水シートＳを溝内全面に広げて敷設するシート敷設機６を具備してなり、
シート敷設機６は、上部にて巻回された透水シートＳを保持するシートロール６１と、溝内隅部左右にそれぞれ転動可能に設けられ、透水シートＳを順次引き出して透水シートＳの中央部を溝底面に広げて押し付ける左右一対の転圧輪６２と、溝の左右外側方にてそれぞれ土上を転動可能に設けられ、透水シートの両端部を土表面に押さえつける左右一対のガイドシャフト６３と、ガイドシャフト後方にて左右一対が平面視ハの字状に設けられ、溝の左右外側方をそれぞれ転動することで盛土を行う盛土ディスク６４とを有して構成される請求項１記載の発熱体敷設機。
【請求項３】
耕耘刃Ｂを有した耕耘機Ｔの後方にて耕耘した土面よりも下方に突出した位置に取り付けられて溝を形成する溝形成器１と、溝形成器１の後部近傍の発熱体供給位置に、土壌を加温するための発熱体Ｈを上方から連続的あるいは断続的に供給する発熱体供給装置２と、溝形成器１の後方であって前記発熱体供給位置２の両側部にそれぞれ立設して取り付けられ、発熱体供給位置２の側部からの土の侵入を遮断する側板３と、各側板３の後部に設けられ、両側部からの土圧によって内側に可動しうる可動部４とを具備してなる発熱体敷設機であって、
前記可動部４は、溝形成器１や側板３によって掻き除けられた余剰土に押されて内側に可動することで、この余剰土を発熱体供給位置の後部両側から敷設された発熱体Ｈ上に崩落させることを特徴とする発熱体敷設機。
【請求項４】
溝形成器１が、発熱体供給位置にて縦方向に固定され、先端が耕耘土内に突入したまま引きずられることで余剰土を排出しながら溝切りを行う溝切り板１０からなり、各側部の側板３は、可動部４と一体形成された弾性板からなり、前記溝切り板１０に前側部が固定されると共に後側部が溝切り板１０の外側方へ広がった解放端とされ、前記余剰土に押された側板３の後部が可動部４として撓むことで余剰土を崩落させ、発熱体Ｈを埋設するものである請求項３記載の発熱体敷設機。
【請求項５】
耕耘機Ｔの耕耘刃Ｂの後方であって溝形成器１の前方に、耕耘した土を両側方から内側に寄せ上げて畝を形成する畝形成器５を具備してなり、溝形成器１は、畝形成器５によって形成された畝の中央寄りの位置に先端突入するものである請求項３または４記載の発熱体敷設機。
【発明の詳細な説明】
【技術分野】
【０００１】
本発明は、植物栽培土を加温するための発熱体を栽培土内に敷設するための発熱体敷設機に関する。なお発熱体敷設を行った後、土をかぶせて発熱体を埋設する埋設機能をともに有する発熱体埋設機を含む。
【背景技術】
【０００２】
従来の土壌加温装置として、栽培ハウス内の栽培土付近にボイラーで土を表面から温めるものが知られる。またほかに、加温用オイルを用いた面状発熱体を、土壌中に蛇行して埋設されたパイプ内にボイラーで加温されたタンク内のオイルを供給し循環させてオイルの熱で土壌を加温する土壌加温装置が知られる（例えば、特許文献１参照）。
【特許文献１】特開２００８−２６３８７７号公報
【発明の開示】
【発明が解決しようとする課題】
【０００３】
しかしながら、上記ボイラーは加温空気によって土壌を間接的に加熱するものであり、熱効率が悪く燃料費が過大となる。また後者の土壌加温装置は、設置後は土壌を直接加温するため大幅な燃料費削減となるものの、パイプの埋設に過大な労力がかかり、また畝形成をおこなう場合など、栽培植物の栽培位置と埋設位置とがずれた場合でも、容易に位置変更できるものではない。
【０００４】
そこで本発明では、発熱体埋設によって熱伝達効率が良い直接加熱を行うことで燃料費を削減し、また発熱体の埋設自体の労力を低減し、栽培植物の栽培位置に応じた発熱体の埋設をおこなうことのできる発熱体埋設機を提供することを課題とする。
【課題を解決するための手段】
【０００５】
上記課題を解決するために、本発明においては、以下（１）ないし（５）の手段を採用する。
【０００６】
（１）すなわち、本発明の発熱体敷設機は、
耕耘刃Ｂを有した耕耘機Ｔの後方にて耕耘した土よりも下方に突出した溝形成位置に取り付けられ、耕運機Ｔと共に進行することで耕耘直後の土に溝を形成する溝形成器１と、
溝形成器１の後方の発熱体供給位置に、土壌を加温するための発熱体Ｈを上方から連続的あるいは断続的に供給する発熱体供給装置２とを具備してなり、
前記発熱体供給装置２は、長尺の発熱体Ｈを上部で纏めて保持する発熱体保持具２１と、溝形成位置よりも低い位置で土の上を転動する転圧ローラー２２とからなり、
転圧ローラー２２が、発熱体保持具２１から引き出された発熱体Ｈを、転圧しながら溝形成位置に順次繰り出すことを特徴とする。
【０００７】
このようなものであれば、耕耘直後で空気を含みやわらかくなった形成直後の耕耘土に溝を形成し、この溝内の深部に転圧ローラーを押し付けながら、発熱体を確実に敷設することができる。上記構成は、後述する実施例１，２，３のすべてに対応する。
【０００８】
（２）上記発熱体敷設機においては、溝形成器１の後方であって転圧ローラー２２の前方に、透水シートＳを溝内全面に広げて敷設するシート敷設機６を具備してなり、
シート敷設機６は、上部にて巻回された透水シートＳを保持するシートロール６１と、溝内隅部左右にそれぞれ転動可能に設けられ、透水シートＳを順次引き出して透水シートＳの中央部を溝底面に広げて押し付ける左右一対の転圧輪６２と、溝の左右外側方にてそれぞれ土上を転動可能に設けられ、透水シートの両端部を土表面に押さえつける左右一対のガイドシャフト６３と、ガイドシャフト後方にて左右一対が平面視ハの字状に設けられ、溝の左右外側方をそれぞれ転動することで盛土を行う盛土ディスク６４とを有して構成されることが好ましい。
【０００９】
このようなものであれば、溝内に透水シートを機械的に敷設し、その幅中央位置に発熱体を機械的に敷設することができる。その後シート、発熱体を敷設した溝を埋めて透水シートの溝内に栽培土を形成することで、植物の根の伸長を規制して栽培するとともに、この栽培区域のシートで区分した土壌部分を確実に加温することができ、殺菌処理、施肥処理、溶液濃度調整による区域栽培の効果をより高めることができる。本構成は、後述する実施例３に対応する。
【００１０】
（３）あるいは、本発明の発熱体敷設機は、
耕耘刃Ｂを有した耕耘機Ｔの後方にて耕耘した土面よりも下方に突出した位置に取り付けられて溝を形成する溝形成器１と、
溝形成器１の後部近傍の発熱体供給位置に、土壌を加温するための発熱体Ｈを上方から連続的あるいは断続的に供給する発熱体供給装置２と、
溝形成器１の後方であって前記発熱体供給位置２の両側部にそれぞれ立設して取り付けられ、発熱体供給位置２の側部からの土の侵入を遮断する側板３と、
各側板３の後部に設けられ、両側部からの土圧によって内側に可動しうる可動部４とを具備してなる発熱体敷設機であって、
前記可動部４は、溝形成器１や側板３によって掻き除けられた余剰土に押されて内側に可動することで、この余剰土を発熱体供給位置の後部両側から敷設された発熱体Ｈ上に崩落させることを特徴とする。
【００１１】
このようなものであれば、発熱体敷設機の進行によって、溝形成器１が、耕耘機と共に進行して耕耘直後の土を掻き除けて溝を形成し、続けて側板３が、発熱体供給位置へ発熱体を供給するための発熱体供給領域を確保し、さらに続けて可動部４が、溝形成器１や側板によって掻き除けられた余剰土に押されて内側に可動することで、この余剰土が発熱体供給位置の後部両側から敷設された発熱体上に崩落する。以上の一連の作用によって、供給された長尺の発熱体が確実に埋設される。耕耘によって粒が微粒化され、空気が多量に含まれた状態の耕耘土は、稼動部へのわずかな接触によって自然崩落する。本構成は、後述する実施例１および２に対応する。
【００１２】
（４）前記発熱体敷設機において、溝形成器１は、発熱体供給位置にて縦方向に固定され、先端が耕耘土内に突入したまま引きずられることで余剰土を排出しながら溝切りを行う溝切り板１０からなり、
各側部の側板３は、可動部４と一体形成された弾性板からなり、
前記溝切り板１０に前側部が固定されると共に後側部が溝切り板１０の外側方へ広がった解放端とされ、前記余剰土に押された側板３の後部が可動部４として撓むことで余剰土を崩落させ、発熱体Ｈを埋設するものであることが好ましい。この場合、発熱体敷設機は、敷設機能とともに敷設した発熱体Ｈを埋める埋設機能を有した、いわゆる発熱体埋設機となる。
【００１３】
一体形成された弾性板によって左右それぞれの側板３と可動部４とをまとめて構成することで、壊れにくく耐久性のある構成となり、発熱体供給領域を確実に確保することができる。また、板体の撓み変形によって緩やかな可動面をもって可動部４が動くことで、土の状態に応じた自然な崩落を促すことができる。本構成は、後述する実施例１および２に対応する。
【００１４】
なお後述する実施例１，２では、２枚の同形状の矩形の弾性板が、固定具１Ｃによって、溝切り板１０の両側方にそれぞれ固定される。この他の実施例として、溝切り板１０の左右両側にある側板３及び可動部４が、左右同士で互いに連なった１枚の弾性板からなるものとすることができる。これは幅方向の中央部が折曲又は湾曲した横長矩形の弾性板からなり、左右の側板３同士が中央部を境として連接され、両側端に可動部４が一体的に連なるものである。
【００１５】
（５）前記いずれかの発熱体敷設機においては、耕耘機Ｔの耕耘刃Ｂの後方であって溝形成器１の前方に、耕耘した土を両側方から内側に寄せ上げて畝を形成する畝形成器５を具備してなり、溝形成器１は、畝形成器５によって形成された畝の中央寄りの位置に先端突入するものであることが好ましい。畝形成の直後に溝形成することで、やわらかく崩落しやすい余剰土が畝上に積み重なって生成され、この余剰土が前記可動部４に接触することで容易に自然崩落する。このため、発熱体Ｈをより効率的に、且つ確実に埋設することができる。本構成は、後述する実施例２に対応する。
【発明の効果】
【００１６】
本発明は、上述のような構成としたことで、発熱体埋設によって直接加熱を行うことで、燃料費を削減することできる。また、耕耘機の進行によって機械的に発熱体の敷設あるいは埋設を行うことができ、発熱体の埋設効率がよく、埋設のための労力が低減される。さらに耕耘機の後方に取り付けているため、やわらかい耕耘土を利用した効率的な溝形成ができると共に、栽培植物の栽培位置に応じた発熱体の埋設をおこなうことができる。
【発明を実施するための最良の形態】
【００１７】
以下、本発明を実施するための最良の形態例を、本発明の実施例として示す各図と共に説明する。図１ないし図５は実施例１の発熱体敷設機である発熱体埋設機およびこれによる発熱体の埋設方法を、図６ないし図９は実施例２の発熱体敷設機である発熱体埋設機およびこれによる発熱体の埋設方法を、図１０ないし図１２は実施例３の発熱体敷設機およびこれによる透水シートＳと発熱体Ｈの敷設状況を、それぞれ示す。
【００１８】
（発熱体敷設機の全体構成）
本発明の発熱体敷設機は、耕耘刃を有した自走式の耕耘機の後方にて耕耘した土よりも下方に突出した溝形成位置に取り付けられ、耕耘機と共に進行することで耕耘直後の土に溝を形成する溝形成器１と、
溝形成器１の後方の発熱体供給位置に、土壌を加温するための発熱体を上方から連続的あるいは断続的に供給する発熱体供給装置２とを具備してなる。
【００１９】
（発熱体Ｈ）
発熱体Ｈは栽培土内に埋め込まれて自ら発熱することで、栽培土を加温するものである。長尺のテープ状のもの、長尺のワイヤー／紐状のもの、板状のもののいずれでもよいが、長尺物が折りたたまれるか巻き取られるかによってコンパクトな収容形態として収容されることが好ましい。実施例では電熱線を２層のテープ面間に挟んだ電熱テープからなり、電熱線に所定の電流を流すことで、電気抵抗に基づく発熱温度を適宜設定されたものに保ちながら発熱する。収容状態ではロール状に巻き取られた発熱体ロールＨ０となる。この発熱体ロールＨ０の中央の巻き取り中心には、発熱体保持具２１が差し込まれるための差し込み孔が形成され、発熱体保持具２１が差し込まれた状態で自由回転する。
【００２０】
（溝形成器１）
溝形成器１は、進行方向先端の下部に設けられた溝底の土内への突入部を有し、この突入部が土内に突入した状態で、走行式の耕耘機に取り付けられたまま耕耘機とともに進行することで、突入部が引きずられて土内に溝が形成される。実施例１，２の溝形成器１は幅中央にて９０度に折れ曲がった縦長断面Ｌ字状の溝切り板１０からなり、実施例３の溝形成器１は、底面板、前面板１１、前突出片１１ｔ、両側面板１２、および羽根板１３を有するバゲット状のものからなる。いずれの溝形成器１とも、溝形成器１を高さ一定のものとして耕耘機Ｔに固定される。耕耘機Ｔによる耕耘刃Ｂの進行の直後に溝形成を行うことで、耕耘後の土面よりも深い位置での溝形成が容易なものとなり、溝形成器１が土内を進行することによる固定部への過剰負荷を回避することができる。
【００２１】
（発熱体供給装置２）
発熱体供給装置２は、長尺の発熱体Ｈを上部で纏めて保持する発熱体保持具２１と、溝形成位置よりも低い位置で土の上を転動する転圧ローラー２２とからなり、
転圧ローラー２２が、発熱体保持具２１から引き出された発熱体Ｈを、転圧しながら溝形成位置に順次繰り出す。発熱体供給装置２は前記溝形成器１の後方近傍に設けられるため、溝形成器１によって形成された直後の溝の底面に、発熱体Ｈを順に転圧力をかけながら敷いていくこととなる。このようなものであれば、耕耘直後で空気を含みやわらかくなった形成直後の耕耘土に溝を形成し、この溝内の深部に転圧ローラー２２を押し付けながら、発熱体を確実に敷設することができる。以下、実施例１，２，３のそれぞれにおける各構成を詳述する。
【実施例１】
【００２２】
実施例１の発熱体敷設機は、耕耘刃を有した自走式の耕耘機の後方にて耕耘した土よりも下方に突出した位置に取り付けられて溝を形成する溝形成器１と、
溝形成器１の後部近傍の発熱体供給位置に、土壌を加温するための発熱体を上方から連続的あるいは断続的に供給する発熱体供給装置２と、
溝形成器１の後方であって前記発熱体供給位置の両側部にそれぞれ立設して取り付けられ、発熱体供給位置の側部からの土の侵入を遮断する側板３と、
各側板３の後部に設けられ、両側部からの土圧によって内側に可動しうる可動部４とを具備してなる。
【００２３】
（溝形成器１）
実施例１の溝形成器１は斜下前方に伸びる棒状の溝形成器アーム１Ａに固定された溝切り板１０からなる。この溝形成器１は、発熱体供給位置にて縦方向に固定され、先端が耕耘土内に突入したまま引きずられることで溝切りを行う。溝切り板１０は具体的には、縦長板の幅中央で９０度に折曲したＬ字アングルの鋼板からなり、折曲した内側に、棒状の溝形成器アーム１Ａが溶接によって固着される（図２，３）。溝切り板１０の折曲部で区切られる左右の構成板は、側板３を取り付けるための取り付け孔が、長さ方向に沿って間欠して４つ設けられる。この構成板の折曲外側面に側板３の前側部を当接させて、取り付け孔に固定具１ｃであるボルトを貫通させ、ナット固定する。なお固定具１ｃによる固定箇所は、前記４箇所のうち上下二つのみとしてもよい。側板３の上下端に近い位置でのみ固定することで、側板３の弾性変形の自由度が増すこととなる。
【００２４】
（発熱体供給装置２）
実施例１の発熱体供給装置２は、溝切り板１０よりも後方、かつ側板３及び溝切り板１０よりも上方に設置された水平の保持棒からなり、ロール形成された発熱体ロールＨ０を自由回転可能に保持する発熱体保持具２１と、発熱体保持具２１の下後方にて溝内を進行方向に転動する転圧ローラー２２と、発熱体保持具２１及び転圧ローラー２２をつなぐ縦方向棒状の連接アーム２３と、連接アーム２３を溝形成器1の後方に連結して所定高さに保持する後方保持アーム２４とから構成される。
【００２５】
転圧ローラー２２のローラー表面は、弾性材、たとえばゴム製或いはウレタン製のスポンジからなり、発熱体ロールＨ０から引き出した発熱体Ｈに適度なテンションをかけ、かつ溝内の土面の凹凸に対応しながら、長尺の発熱体Ｈである電熱テープを溝内の土面上に敷設していく。連接アーム２３は、下部の二股枠部にて転圧ローラー２２を自由回動可能としながら下方保持するとともに、上部にて接続固定された保持部アーム２１Ａを介して、発熱体保持具２１を上方保持する。後方保持アーム２４は、前後に伸びる支持棒からなり、前端が前方の溝形成器１に溶接固定され、後端がホルダ孔によって連接アーム２３を貫通固定する。
【００２６】
（側板３）
各側部の側板３は、溝形成器１の溝切り板１０の左右から後方外側に向けて平面視倒立Ｖ字状（進行方向を上方向としたときの平面視）に広がるようにして、溝切り板１０に固定される。この倒立Ｖ字状の中央の屈曲部（溝切り板１０による固定部）は、溝切り板１０によって前方がさえぎられ、側板３によって側方がさえぎられることで、土の進入が確実に遮断された領域となっている。この領域をた発熱体供給領域として、発熱体を、土の進入による妨げを排除して確実に敷設するものとしている。実施例では左右それぞれ、同形状の横長矩形の側板３を固定している。
【００２７】
側板３の他の態様として、左右の側板３が一体形成され、中央部分が屈曲或いは湾曲して斜め側方又は後方に延伸するものとしても良い（図示せず）。このとき側板３の平面視形状は、溝切り板１０の立設位置と共通したひとつの屈曲部にて屈曲した平面視倒立Ｖ字状となる。
【００２８】
側板３のさらに他の態様として、溝切り板１０の立設位置の左右に二つの屈曲部を設けて左右一体形成された、平面視倒立コ字状のものとしてもよい。この場合、側板３は屈曲部よりも外側方に広がることなく、後方へ真っ直ぐに、或いはやや内側方向へ（左右の板後部が互いに近づくように）延伸する。
【００２９】
（可動部４）
可動部４は、溝形成器１や側板によって掻き除けられた余剰土に押されて内側に可動する。これにより、この余剰土を発熱体供給位置の後部両側から、内側の、敷設された発熱体Ｈ上に崩落させる。実施例では、余剰土に押された側板の後部が可動部４として弾性変形によって撓むことで余剰土を崩落させるものとなっている。可動部４の可動機構は、実施例１のように一体形成された弾性板の撓み変形（図３）によるものでも良いが、他に、ヒンジ固定具や蝶番を介して、別部材からなる板状或いは棒状の可動部４が回動可能に固定されるものとしても良い。又可動部４の形状は、側板３よりも全高が低く小型のものとすることができる。
【００３０】
可動部４が板状のものからなる場合、可動前の状態ｓ１においては、側板３の板面の延長上にある（図２、図３の二点鎖線）か或いは側板３よりも外側に張り出していることが好ましい。可動後の状態ｓ２においては、外側から余剰土に圧接されて、側板３よりも内側に折れ曲がる（図３）。
【００３１】
（側板３と可動部４の一体形成）
各側部の側板３は、可動部４と一体形成された横長矩形の弾性板からなり、前記溝切り板１０に前側部が固定されると共に後側部が溝切り板１０の外側方へ広がった解放端とされる。側板３と可動部４とを一体形成された弾性板によってまとめて構成することで、壊れにくく耐久性のある構成となり、発熱体供給領域を確実に確保することができる。また、板体の撓み変形によって緩やかな可動面をもって可動部４が動くことで、土の状態に応じた自然な崩落を促すことができる。
【００３２】
なお図４に示すように、背面視にて変形前の側板３は、後端辺がわずかに斜めにカットされ、可動部４として撓みやすくなっていると共に、撓み変形の際に、余剰土が溝内側の発熱体Ｈ敷設部分へ崩落しやすいようになっている。
【００３３】
この他、側板３または可動部４の外側面に、外方への延出部として、前辺側から後辺側へ向かう突片を立設固定したものとしてもよい。この突片が余剰土に接触することによって余剰土のさらなる崩落を促すことができる。
【００３４】
（溝形成及び発熱体Ｈの埋設）
実施例の発熱体敷設機による溝形成及び発熱体Ｈの埋設方法は以下の通りである。先ず、耕耘機Ｔに固定された発熱体敷設機の進行によって、溝形成器１が、進行して耕耘直後の土を掻き除けて溝を形成し、掻き除けられた分の余剰土が発生する（図５（ａ）（ｂ））。続けて側板３が、発熱体供給位置へ発熱体を供給するための発熱体供給領域を確保し、さらに続けて可動部４が、溝形成器１や側板によって掻き除けられた余剰土に押されて内側に可動することで、この余剰土が発熱体供給位置の後部両側から敷設された発熱体上に自然崩落する（図５（ｃ））。以上の一連の作用によって、供給された長尺の発熱体Ｈが確実に埋設される。
【実施例２】
【００３５】
図６ないし図９に示す実施例２の発熱体敷設機は、耕耘機の耕耘刃の後方であって溝形成器の前方に、耕耘した土を両側方から内側に寄せ上げて畝を形成する畝形成器５を具備する。
【００３６】
（溝形成器１）
実施例２の溝形成器１は、畝形成器５によって形成された畝の中央寄りの位置に先端突入する溝切り板１０からなる。溝切り板１０は、実施例1と同様の断面Ｌ字のアングル鋼板であり、発熱体供給位置にて縦方向に固定され、先端が耕耘土内に突入したまま引きずられることで溝切りを行う。
【００３７】
（畝形成器５）
畝形成器５は、高さ方向中央位置が進行方向後方へずれるようにして湾曲し、側面視にて円弧状に湾曲した横長矩形の湾曲板からなる湾曲前板５０と、湾曲前板５０の後ろ面に背面視ハの字型となるように斜めに左右一対固定された斜め側板５１と、両側の斜め側板５１間であって湾曲前板５０の後方にて水平に空中支持された抑え上板５２とからなり、これらによって畝を形成する。
【００３８】
実施例２によれば畝土が柔らかな畝形成の直後に発熱体を容易に埋設できる。畝形成の直後には押しよけられてあふれた余剰土が空気を多く含んで不安定に積み重なるため、可動部４の接触によって容易に崩落する。また畝内の中央寄りの位置に埋設できるため、栽培植物の植栽位置を効率的に温めることができる（図８，９）。作業実験によれば、畝上面から２２ｃｍ下に埋め込むことができた。崩落した土は図に示すように畝の高さよりも低く積み重なる。この高さは丁度、施肥工程に適した高さとなる。この埋め戻し状態（図９（ｃ）の状態）の後は施肥を行い、その後植栽または種植えをおこなったのちに畝及び畝間の溝をさらえる。
【実施例３】
【００３９】
図１０及び１２に示す実施例３の発熱体敷設機は、溝形成器１の後方であって転圧ローラー２２の前方に、透水シートを溝内全面に広げて敷設するシート敷設機６を具備する。
【００４０】
（溝形成器１）
実施例３の溝形成器１は、底面板から連なる前面板１１、これらに連なる両側面板１２を有し、底面板において両側方から前方までの三方が囲われたバゲット状のものからなる。透水シートＳを敷設すべく、実施例１、２よりも幅の太い横長断面の溝を形成するものである。前面板１１の幅中央下部には、先端尖形の前突出片１１ｔが固定され、この前突出片１１ｔが溝の中央に発熱体配置のための深溝を削り出す。また両側面板の外面に、複数の縦板を有した羽根材が固定され、これによって溝よりも外側の溝縁を整地する。
【００４１】
（発熱体供給装置２）
実施例３の発熱体供給装置２のうち、転圧ローラー２２は両側一対の転圧輪６２に挟まれ、転圧輪６２の支持枠と一体的に支持される。また実施例３の保持部アーム２１Ａは上部の統合アームＡから下方を向きその先に水平棒である発熱体保持具２１が固定される。つまり実施例３では連接アーム２３は有さず、発熱体保持具２１は、転圧ローラー２２の支持枠とは別の支持材によって接続される。
【００４２】
（シート敷設機６）
シート敷設機６は、耕耘機Ｔの耕耘刃Ｂの後方に付属され、巻き取られた透水シートロールＳ０から透水シートＳを引き出して溝内面全体に敷設していくユニットであり、下記構成からなる。
・上部にて巻回された透水シートＳを保持するシートロール６１
・溝内角部左右にそれぞれ転動可能に設けられ、透水シートを順次引き出してシート中央部を溝底面に広げて押し付ける左右一対の転圧輪６２
・溝の左右外側方にてそれぞれ土上を転動可能に設けられ、透水シートの両端部を土表面に押さえつける左右一対のガイドシャフト６３
・ガイドシャフト後方にて左右一対で平面視ハの字状を形成するように設けられ、溝外部の土上を転動可能に設けられ、溝外部を転動することで土表面に押さえつけられた透水シートの各端部に盛り土を行う盛土ディスク６４
（盛土ディスク６４）
上記構成のうち盛土ディスク６４は、ガイドシャフト後方にて溝の外側方の土の上を転動する回転体であり、その回転軸は水平軸であって、左右それぞれの軸内側が前方に傾いて配置される。すなわち左右それぞれの盛土ディスク６４は等しい角度ずつ斜めに対向し、平面視にて進行方向を上方としたとき、回転軸は一対でハの字状を形成する（図１１）。回転軸が傾いたまま転動することで、土表面に押さえつけられた透水シートの各端部に盛り土を行うものとなっている。
【００４３】
このようなものであれば、溝内に透水シートを機械的に敷設し、その幅中央位置に発熱体を機械的に敷設することができる。その後シート、発熱体を敷設した溝を埋めて透水シートの溝内に栽培土を形成することで、植物の根の伸長を規制して栽培するとともに、この栽培区域のシートで区分した土壌部分を確実に加温することができ、殺菌処理、施肥処理、溶液濃度調整による区域栽培の効果をより高めることができる。
【図面の簡単な説明】
【００４４】
【図１】使用中の状態における本発明の実施例１の発熱体敷設機の取り付け状態を示す側面視説明図である。
【図２】使用前の状態における、実施例１の発熱体敷設機の耕耘機への取り付け状態を示す平面視説明図である。
【図３】使用中の状態における図２に示す実施例１の発熱体敷設機の溝形成器部分の状態を示す平面視部分拡大説明図である。
【図４】使用中の状態における実施例１の発熱体敷設機の溝形成器部分の状態を示す背面視部分拡大説明図である。
【図５】実施例１の発熱体敷設機による溝形成および発熱体の埋設状態を示す背面視断面説明図である。
【図６】使用中の状態における本発明の実施例２の発熱体敷設機の取り付け状態を示す側面視説明図である。
【図７】使用中の状態における、実施例２の発熱体敷設機の耕耘機への取り付け状態を示す平面視説明図である。
【図８】使用中の状態における実施例２の発熱体敷設機の溝形成器部分の状態を示す背面視部分拡大説明図である。
【図９】実施例２の発熱体敷設機による溝形成および発熱体の埋設状態を示す背面視断面説明図である。
【図１０】使用中の状態における本発明の実施例３の発熱体敷設機の取り付け状態を示す側面視説明図である。
【図１１】使用中の状態における、実施例３の発熱体敷設機の耕耘機への取り付け状態を示す平面視説明図である。
【図１２】使用中の状態における実施例３の発熱体敷設機の溝形成器部分の状態を示す背面視部分拡大説明図である。
【符号の説明】
【００４５】
１  溝形成器
１０  溝切り板
１１  前面板
１１ｔ  前突出片
１２  側面板
１３  羽根板
１ｃ  側板固定具
１A  溝形成器アーム
２  発熱体供給装置
２１  発熱体保持具
２１Ａ  保持部アーム
２２  転圧ローラー
２３  連接アーム
２４  後方保持アーム
３  側板
４（ｓ１）  可動部（可動前）
４（ｓ２）  可動部（可動後）
５  畝形成器
５０  湾曲前板
５１  斜め側板
５２  抑え上板
６  シート敷設機
６１  シートロール
６２  転圧輪
６３  ガイドシャフト
６４  盛土ディスク
Ｂ  耕耘刃
Ｈ  発熱体
Ｈ０  発熱体ロール
Ｓ  透水シート
Ｓ０  透水シートロール
Ｔ  耕耘機
【図１】
2010119374.tif 000003
【図２】
2010119374.tif 000004
【図３】
2010119374.tif 000005
【図４】
2010119374.tif 000006
【図５】
2010119374.tif 000007
【図６】
2010119374.tif 000008
【図７】
2010119374.tif 000009
【図８】
2010119374.tif 000010
【図９】
2010119374.tif 000011
【図１０】
2010119374.tif 000012
【図１１】
2010119374.tif 000013
【図１２】
2010119374.tif 000014